(57)【特許請求の範囲】
【請求項１】
風呂敷を折り畳んで和服の形状に包装することができる風呂敷の包装方法であって、風呂敷を略矩形状に折り畳む第１工程と、この第１工程で折り畳まれた風呂敷の長手方向に右見頃部、後ろ身頃部、左見頃部を連設し、前記後ろ身頃部に補強部材を宛がうか又は挿入する第２工程と、前記第１工程で折り畳まれた風呂敷の上下何れかの辺側の二つの角に芯材をそれぞれ斜め向きに配置し、その位置から対角方向に向けて風呂敷の角をそれぞれ所要の回数芯材に巻き付けて左右の襟部を形成する第３工程と、前記右見頃部と前記左見頃部をそれぞれ折り畳んで前記後ろ身頃部に重ね合わせると共に、前記芯材の上下部を折り曲げて、前記補強部材の上下辺に係合させて固定する第４工程と、を行うことを特徴とする風呂敷の包装方法。
【請求項２】
前記補強部材の形状は、前記第４工程において右見頃部及び左見頃部を重ね合わせる側の面に突出するように、前記第１工程で折り畳まれた風呂敷の長手方向に対して湾曲した形状であることを特徴とする請求項１記載の風呂敷の包装方法。
【請求項３】
前記第４工程において、右見頃部と左見頃部をそれぞれ折り畳んで後ろ身頃部に重ね合わせた後に、和服の形状に折り畳まれた風呂敷の帯に相当する位置に、帯に見立てた袱紗を配置することを特徴とする請求項１又は２記載の風呂敷の包装方法。
【請求項４】
前記袱紗を配置した後に、帯締めに見立てた紐部材を前記袱紗の外側から巻き付けて、前記袱紗を固定することを特徴とする請求項３記載の風呂敷の包装方法。
【請求項５】
前記第４工程において、左右の襟部を形成した後に、伊達襟に見立てた薄片部材を前記襟部の内側に挿入することを特徴とする請求項１〜４の何れかに記載の風呂敷の包装方法。
【請求項６】
請求項１〜５の何れかに記載の方法を用いて包装された風呂敷であって、襟部の中に芯材を設けると共に、後ろ身頃部には、補強部材を宛がうか又は挿入していることを特徴とする風呂敷。
【発明の詳細な説明】
【０００１】
【発明の属する技術分野】
この発明は、風呂敷を折り畳んで和服の形状に包装することができる風呂敷の包装方法と、この方法を用いて包装された風呂敷に関するものである。
【０００２】
【従来の技術】
風呂敷を店頭に展示して消費者に販売したり、商品カタログ等に掲載する際には、風呂敷全体の色彩や模様が消費者に分かるように、風呂敷を広げた状態で展示若しくは掲載するか、あるいは、風呂敷の一部に施した図柄が表に現れるように風呂敷を折り畳み、その図柄の部分が外からでも見えるように包装用ケースに入れて販売等するのが一般的である。
【０００３】
したがって、風呂敷の色彩、模様、図柄は、商品の売れ行きを左右する重要な要素であると言えるが、風呂敷の場合、一般に和装品において好んで用いられる落ち着いた色彩や模様の商品の方が人気のあることが多いので、あまり奇抜なデザインのものは採用し難いという事情が認められる。
【０００４】
そこで、従来、風呂敷の製造・販売業者は、例えば、風呂敷の表面に波形の形状が現れるように生地を弛ませた状態で風呂敷を展示若しくは包装したり、風呂敷を牡丹の花に似せた渦巻き状の形状にして展示若しくは包装するなどして、風呂敷の色彩や模様については従来品と別段変化していなくても、他社製品との差別化が図れるように創意工夫をしている。
【０００５】
【発明が解決しようとする課題】
ところが、風呂敷の生地は、物を包んで使用する際の便宜を考慮して、薄手の生地が使用されるのが通常であり、生地が滑りやすいという特性があるため、上記した従来の風呂敷の包装方法では、例えば、店頭においては、波形や牡丹の花の形状が現れるように展示若しくは包装されていたにも拘わらず、消費者がその商品を購入して、自宅に持ちかえって見たときには、型崩れをしてしまっているという問題があった。
【０００６】
すなわち、上記した従来の風呂敷の包装方法は、専ら店頭で商品を展示する際の見栄えの良さのみが考慮されたものである。したがって、上記した従来の風呂敷の包装方法では、包装された特徴のある形状を長く維持することは出来ないから、包装された商品をインテリアとして楽しむことは到底不可能であった。
【０００７】
ところで、前述したように、風呂敷は、一般に和装品において好んで用いられる落ち着いた色彩や模様の商品の方が人気のある傾向が認められるので、その色彩や模様が、和服に用いられる色彩や模様と共通することも多い。ところが、この点に着目して、風呂敷を和服の形状に折り畳んで包装することを検討した場合、以下に述べる２つの問題点が障害になるので、このアイデアを実現するのは困難と考えられていた。
【０００８】
すなわち、第１の問題点は、前述した従来の風呂敷の包装方法である「波形」や「牡丹の花」の場合と同様の問題点であり、風呂敷を和服の形状に折り畳んで包装用ケースに入れて販売したとしても、消費者が包装された商品を持ち運びするうちに、特に襟部分において、型崩れを起こすことが予想される点である。
【０００９】
そこで、この第１の問題点に対する回避策として、襟部分は、風呂敷を折り畳むことで立体的に形成するのではなく、風呂敷の表面に施した図柄で表示させる方法が考えられる。しかし、例えば、帯に見える図柄であれば、平行に引かれた二本の直線で表現することもできるので、風呂敷全体のデザインを左程制約することはないが、襟に見える図柄は、一目で分かる特徴的なものであるため、そのような特徴的な図柄を風呂敷の一部に施すと、風呂敷全体のデザインが制約されてしまうという新たな問題点が生じてしまう。これが第２の問題点となっていたのである。
【００１０】
本発明は、上記した従来の問題点に鑑みてなされたものである。すなわち、本発明は、風呂敷を折り畳んで和服の形状に包装することができる風呂敷の包装方法であって、包装された商品を持ち運びしても型崩れしないようにすることが可能で、しかも、風呂敷の一部に和服の襟に見える図柄を施す必要もない風呂敷の包装方法を提供することを目的としている。
【００１１】
【課題を解決するための手段】
上記の目的を達成するために、本発明に係る風呂敷の包装方法では、風呂敷を略矩形状に折り畳む第１工程と、この第１工程で折り畳まれた風呂敷の長手方向に右見頃部、後ろ身頃部、左見頃部を連設し、前記後ろ身頃部に補強部材を宛がうか又は挿入する第２工程と、前記第１工程で折り畳まれた風呂敷の上下何れかの辺側の二つの角に芯材をそれぞれ斜め向きに配置し、その位置から対角方向に向けて風呂敷の角をそれぞれ所要の回数芯材に巻き付けて左右の襟部を形成する第３工程と、前記右見頃部と前記左見頃部をそれぞれ折り畳んで前記後ろ身頃部に重ね合わせると共に、前記芯材の上下部を折り曲げて、前記補強部材の上下辺に係合させて固定する第４工程と、を行う包装方法を採用している。
【００１２】
このように、本発明に係る風呂敷の包装方法では、略矩形状に折り畳まれた風呂敷の２つの角を芯材にそれぞれ巻き付けることによって襟部を立体的に形成すると共に、この芯材の上下部を折り曲げて、後ろ身頃部に宛がうか又は挿入した補強部材の上下辺に係合させるように構成しているから、この芯材と補強部材が固定するように作用して、持ち運びしても型崩れしないという効果が得られる。また、襟部は、風呂敷の角を芯材に巻き付けることにより立体的に形成しているので、風呂敷の表面に図柄として表示する必要はなく、風呂敷のデザインが制約されることもないから、上記した従来の第１及び第２の問題点を解消することができる。
【００１３】
【発明の実施の形態】
本発明に係る風呂敷の包装方法において、第２工程で用いる補強部材は、例えば、紙製のものや、樹脂製のものが使用できる。また、補強部材は、後ろ身頃部の裏側に宛がうか、又は、後ろ身頃部の生地の間に挿入するか、何れかの方法を選択することができる。
【００１４】
補強部材は、後ろ身頃部のサイズに合致するものであれば、その形状は、平板状のものであっても差し支えはない。しかし、補強部材は、湾曲した形状のものを用いる方が、和服の形状に折り畳んだ際に、胸部に立体感が得られるので、インテリアとしても利用できる商品としては、より一層適したものとなる。
【００１５】
本発明に係る請求項２記載の包装方法は、上記の点を考慮した好適な実施の形態である。すなわち、本発明に係る請求項２記載の包装方法では、補強部材は、第４工程において右見頃部及び左見頃部を重ね合わせる側の面に突出するように、第１工程で折り畳まれた風呂敷の長手方向に対して湾曲した形状のものを使用している。
【００１６】
また、本発明に係る風呂敷の包装方法では、和服の形状に折り畳んだ風呂敷の帯に相当する位置に、帯の図柄が現れるように、風呂敷に予め図柄を施しておいても良い。ただし、上記の点は適宜選択して決定する事項であり、本発明に係る風呂敷の包装方法では、風呂敷は無地のものであっても差し支えはなく、風呂敷の色彩や模様、図柄は特に限定するものではない。
【００１７】
なお、風呂敷を単品で販売するのではなく、風呂敷と袱紗をセットで販売する場合については、和服の形状に折り畳んだ風呂敷の帯に相当する位置に、帯に見立てて折り畳んだ袱紗を配置するのが望ましい。本発明に係る請求項３記載の包装方法は、上記の点を考慮した好適な実施の形態であり、第４工程において、右見頃部と左見頃部をそれぞれ折り畳んで後ろ身頃部に重ね合わせた後に、和服の形状に折り畳まれた風呂敷の帯に相当する位置に、帯に見立てた袱紗を配置するようにしている。
【００１８】
このようにすれば、風呂敷に施した図柄で帯を表現する場合と比較すると、帯の部分にも立体感を得ることができる。また、風呂敷と袱紗は、使用する際には分離するので、風呂敷の図柄が制約されることはない上、風呂敷と袱紗の組み合わせを自由に変更できるので、商品のバリエーションを増やすのも容易となる。
【００１９】
また、上記包装方法においては、和服の形状に折り畳んだ風呂敷の帯に相当する位置に、袱紗を単に配置するようにしているが、本発明に係る請求項４記載の包装方法では、袱紗を配置した後に、帯締めに見立てた紐部材を袱紗の外側から巻き付けて、袱紗を固定するようにしている。このようにすれば、袱紗が風呂敷に固定されて、より一層型崩れし難くなるという作用が得られる上、紐部材が帯締めに見えるので、さらに和服らしく見えるという視覚的な効果も得られる。
【００２０】
また、本発明に係る請求項５記載の風呂敷の包装方法は、視覚的な効果を一層高めた好適な実施の形態である。すなわち、本発明に係る請求項５記載の風呂敷の包装方法では、第４工程において、左右の襟部を形成した後に、伊達襟に見立てた薄片部材を前記襟部の内側に挿入するようにしている。
【００２１】
上記において、薄片部材は、例えば、紙製の部材で構成すれば良く、その色彩は、例えば、風呂敷の色と同系色で、風呂敷の色よりも派手な色目を使用することができる。薄片部材は、風呂敷を使用する際には分離して破棄されるものであるから、自由に色彩を選択することができる。そして、このような色目を襟部の内側に使用することによって、襟部のラインが引き立つので、より一層インテリアに適した商品を得ることができる。
【００２２】
【実施例】
以下、本発明に係る風呂敷の包装方法と、この方法を用いて包装された風呂敷を、図１〜図９に示す一実施例に基いて説明する。図１は、包装された状態の本実施例の風呂敷の説明図、図２（ａ）〜（ｃ）は、本実施例の包装方法において用いる芯材の説明図、図３は、本実施例の包装方法において用いる補強部材の説明図、図４（ａ）〜（ｃ）は、本実施例の包装方法において用いる袱紗の説明図、図５は、本実施例の包装方法において用いる紐部材の説明図、図６（ａ）〜（ｂ）は、本実施例の包装方法において用いる薄片部材の説明図、図７〜図９は、本実施例の包装方法の手順を表した説明図であって、図７（ａ）は、第１工程、第２工程を実施し、第３工程を開始した状態を、図７（ｂ）は、第３工程の途中の状態を、図８（ａ）は、第３工程が完了した状態を、図８（ｂ）は、第４工程の途中の状態を、図９は、第４工程が完了した状態を表している。
【００２３】
先ず、本実施例の包装方法において用いる芯材と補強部材の構造について説明する。図２（ａ）に示すように、芯材１ａ及び１ｂは、短冊状の紙製の部材を用いて構成したものであり、芯材１ａの上方には、上側第１折曲線１ａ１、上側第２折曲線１ａ２を、下方には、下側折曲線１ａ３を、芯材１ｂの上方には、上側第１折曲線１ｂ１、上側第２折曲線１ｂ２を、下方には、下側折曲線１ｂ３をそれぞれ設けている。また、本実施例において、補強部材２は、略矩形状の紙製の部材を用いて構成し、図３に示すように、湾曲した形状のものを用いている。
【００２４】
芯材１ａ及び１ｂは、風呂敷の角を巻き付けて左右の襟部を形成する部材であって、風呂敷の角を巻き付けた後、その上下部を折り曲げて、補強部材２の上下辺と係合する折り曲げ部分を形成するものである。本実施例では、芯材１ａ及び１ｂの上下部を折り曲げる方法は、図２（ｂ）に示すように、上側第１折曲線１ａ１及び１ｂ１、下側折曲線１ａ３及び１ｂ３で折り曲げると共に、図２（ｃ）に示すように、上側第２折曲線１ａ２及び１ｂ２で折り曲げる方法を採用している。このようにすることで、上側第１折曲線１ａ１及び１ｂ１と、下側折曲線１ａ３及び１ｂ３が、補強部材２の上下辺と係合することとなるのである。なお、芯材１ａ及び１ｂの上下部を折り曲げる手順については、図２（ｂ）〜（ｃ）に示す通りである必要はなく、例えば、上側第２折曲線１ａ２及び１ｂ２を先に折り曲げるようにしても差し支えはない。
【００２５】
次に、本実施例の包装方法において用いる袱紗、紐部材、薄片部材の構造について説明する。図４（ａ）に示すように、袱紗３は、先ず、中央で二つ折りし、、次に図３（ｂ）に示すように、第１折曲線３１で谷折りする。さらに、袱紗３は、図３（ｃ）に示すように、第２折曲線３２で山折りし、帯の形状に折り畳んで使用する。
【００２６】
また、紐部材４ａ及び４ｂは、図５に示すように、二本の編み紐をそれぞれ中間点４ａ１及び４ｂ１で折り曲げて、図５に示すような形状に組み合わせたものである。紐部材４ａ及び４ｂは、その先端同士を、接着テープを用いて貼り合せるか、又は、結び合わせるなどの方法により固定して使用される。
【００２７】
また、図６に示すように、薄片部材５ａ及び５ｂは、短冊状の２枚の紙片を用いた部材であって、折曲線５ａ１及び５ｂ１で折り曲げて、襟部の内側に挿入して使用するものである。この折曲線５ａ１及び５ｂ１で折り曲げた部分は、薄片部材５ａ及び５ｂを襟部の内側に挿入した際に、補強部材２を宛がうか又は挿入した後ろ身頃部の上辺に係合するように作用するので、商品を持ち運びしたときでも、薄片部材１ａ及び１ｂがずれてしまうのを防止することができる。
【００２８】
次に、上記のように構成した芯材１ａ及び１ｂ、補強部材２、袱紗３、紐部材４ａ及び４ｂ、薄片部材５ａ及び５ｂを用いて、風呂敷を和服の形状に包装する本実施例の包装方法の各工程について説明する。
【００２９】
まず、第１工程では、略正方形状の風呂敷Ｆは、図７（ａ）に示すように、中央で二つ折りされ、略矩形状に折り畳まれている。次に、第２工程では、この横長に二つ折りされた風呂敷Ｆの長手方向に、左から順に右見頃部Ｆ１、後ろ身頃部Ｆ２、左見頃部Ｆ３を連設し、後ろ身頃部Ｆ２の生地の間に補強部材２を挿入している。そして、第３工程では、図７（ａ）に示すように、二つ折りされた風呂敷Ｆの上辺側の二つの角に、芯材１ａ及び１ｂをそれぞれ斜め向きに配置している。
【００３０】
なお、図７（ａ）において、Ｆ１１〜Ｆ１５は、芯材１ｂの第１巻き付け線、第２巻き付け線、第３巻き付け線、第４巻き付け線、第５巻き付け線を、Ｆ３１〜Ｆ３５は、芯材１ａの第１巻き付け線、第２巻き付け線、第３巻き付け線、第４巻き付け線、第５巻き付け線を、それぞれ表している。また、図７（ａ）において、Ｆ１Ｆ２は、右見頃部−後ろ身頃部境界線を、Ｆ２Ｆ３は、左見頃部−後ろ身頃部境界線を、Ｆ４は、補強部材２を後ろ身頃部Ｆ２に挿入したときに、補強部材２の上辺が位置する上方折り返し線を、Ｆ５は、同じく補強部材２を挿入したときに、補強部材２の下辺が位置する下方折り返し線を表している。
【００３１】
次に、第３工程では、図７（ｂ）に示すように、風呂敷の角を、巻き付け線Ｆ１１〜Ｆ１５、巻き付け線Ｆ３１〜Ｆ３５に沿って、芯材１ａ及び１ｂに巻き付ける。
【００３２】
図７（ｂ）は、第３工程の途中の状態を表したもので、風呂敷の角を芯材１ａ及び１ｂに２回巻き付けた状態を示している。なお、図７（ｂ）において、補強部材２は、後ろ身頃部Ｆ２の生地の間に挿入されて、表面からは見えなくなっている。
【００３３】
図８（ａ）は、第３工程が完了した状態を表したものであり、風呂敷の二つの角を芯材１ａ及び１ｂにそれぞれ５回巻き付ける工程が完了している。そして、第４工程では、図８（ｂ）に示すように、まず、右見頃部Ｆ１を、右見頃部−後ろ身頃部境界線Ｆ１Ｆ２で折り曲げ、次に、左見頃部Ｆ３を、左見頃部−後ろ身頃部境界線Ｆ２Ｆ３で折り曲げる。このとき、右見頃部Ｆ１には、芯材１ｂが中に挿入された襟部Ｆ１６が、左見頃部Ｆ３には、芯材１ａが中に挿入された襟部Ｆ３６が形成されることとなる。
【００３４】
なお、図８（ｂ）においては、芯材１ａ及び１ｂの上側第１折曲線１ａ１及び１ｂ１、下側折曲線１ａ３及び１ｂ３は、襟部Ｆ１６及びＦ３６の中に隠れているが、芯材１ａ及び１ｂは、図２に示すような部材であって、図８（ａ）〜（ｂ）に示す実施例では、上側第２折曲線１ａ２及び１ｂ２を先に折り曲げた後に、上側第１折曲線１ａ１及び１ｂ１、下側折曲線１ａ３及び１ｂ３を折り曲げている。そして、上側第１折曲線１ａ１及び１ｂ１は、上方折り返し線Ｆ４の位置と一致しており、下側折曲線１ａ３及び１ｂ３は、下方折り返し線Ｆ５の位置と一致しているので、図８（ｂ）の状態において、上方折り返し線Ｆ４と、下方折り返し線Ｆ５を折り曲げれば、芯材１ａ及び１ｂの上下部は、補強部材２の上下辺とそれぞれ係合することになる。
【００３５】
次に、本実施例では、第４工程において、袱紗３、紐部材４ａ及び４ｂ、薄片部材５ａ及び５ｂを、図８（ｂ）及び図９に示すように配置していく。すなわち、まず、袱紗３は、第３折曲線３３、第４折曲線３４で山折りして、和服の形状に折り畳まれた風呂敷Ｆの帯に相当する位置に配置される。
【００３６】
そして、袱紗３を帯の位置に配置した後に、帯締めに見立てた紐部材４ａ及び４ｂを、袱紗３の外側から巻き付けて、裏面で先端同士を接着テープにより固定し、袱紗３を風呂敷Ｆに固定するようにしている。
【００３７】
さらに、伊達襟に見立てた薄片部材５ａ及び５ｂは、折曲線５ａ１及び５ｂ１で折り曲げて、襟部Ｆ１６及びＦ３６の内側に挿入するようにしている。本実施例では、薄片部材５ａ及び５ｂは、黄色や金色の派手目の紙片を用いて構成し、風呂敷Ｆは、やまぶき色にしている。このようにすることで、襟部Ｆ１６及びＦ３６のラインが引き立つこととなる。
【００３８】
以上説明した第１工程〜第４工程を実施することにより、風呂敷Ｆを、図９に示すような和服の形状に折り畳むことができる。そして、本実施例の風呂敷は、上記第１工程〜第４工程を実施する方法を用いて包装された風呂敷であって、図１に示すように、包装用ケース６に包装された状態で展示され、消費者に販売されるものである。
【００３９】
なお、図１において、Ｆ１は、右見頃部を、Ｆ２は、後ろ身頃部を、Ｆ３は、左見頃部を、Ｆ１６及びＦ３６は、襟部を、３は、帯に見立てて配置した袱紗を、４ａ及び４ｂは、袱紗３の外側から巻き付けて、帯締めに見立てた紐部材を、５ａ及び５ｂは、襟部Ｆ１６及びＦ３６の内側に挿入して伊達襟に見立てた薄片部材を示している。
【００４０】
本実施例の風呂敷Ｆは、襟部１６の中には芯材１ｂが、襟部Ｆ３６の中には芯材１ａが挿入されている。そして、この芯材１ａ及び１ｂの上下部は、折り曲げられて、後ろ身頃部Ｆ２に挿入された補強部材２の上下辺と係合するように作用するから、持ち運びをしたときでも型崩れすることはなく、和服の形状を維持することができる。
【００４１】
【発明の効果】
以上説明したように、本発明に係る請求項１記載の包装方法によれば、略矩形状に折り畳まれた風呂敷の二つの角を芯材にそれぞれ巻き付けることによって、襟部を立体的に構成すると共に、この芯材の上下辺を折り曲げて、後ろ身頃部に宛がうか又は挿入した補強部材の上下辺に係合させるように構成したので、芯材と補強部材が固定するように作用して、包装された商品を持ち運びしても型崩れしないという効果が得られる。また、襟部は、風呂敷の角を芯材に巻き付けて立体的に形成しているので、風呂敷のデザインが制約されることもないという効果が得られる。
【００４２】
また、本発明に係る請求項２記載の包装方法によれば、補強部材は、第４工程において右見頃部及び左見頃部を重ね合わせる側の面に突出するように、第１工程で折り畳まれた風呂敷の長手方向に対して湾曲した形状のものを使用しているので、風呂敷を和服の形状に折り畳んだ際に、胸の部分に立体感が得られるように作用し、インテリアとしての利用も可能な商品としては、より一層適したものになるという効果が得られる。
【００４３】
さらに、本発明に係る請求項３記載の包装方法によれば、第４工程において、右見頃部と左見頃部をそれぞれ折り畳んで重ね合わせた後に、和服の形状に折り畳んだ風呂敷の帯に相当する位置に、帯に見立てた袱紗を配置するようにしたので、風呂敷に施した図柄で帯を表現する場合と比較すると、帯の部分にも立体感が得られるという効果が得られる。また、風呂敷と袱紗は、使用をする際には分離するので、風呂敷の図柄が制約されることはなく、その組み合わせを自由に変更できるので、商品のバリエーションを増やすのも容易になるという効果が得られる。
【００４４】
また、本発明に係る請求項４記載の包装方法によれば、上記において袱紗を配置した後に、帯締めに見立てた紐部材を袱紗の外側から巻き付けて、袱紗を固定するようにしているので、より一層型崩れし難くなるという作用が得られる上、紐部材が帯締めに見えるので、さらに和服らしく見えるという視覚的な効果も得られる。
【００４５】
また、本発明に係る請求項５記載の包装方法によれば、第４工程において、左右の襟部を形成した後に、伊達襟に見立てた薄片部材を前記襟部の内側に挿入するようにしているので、襟部のラインが引き立つという効果が得られる。
【図面の簡単な説明】
【図１】包装された状態の本実施例の風呂敷の説明図である。
【図２】（ａ）〜（ｃ）は、本実施例の包装方法において用いる芯材の説明図である。
【図３】本実施例の包装方法において用いる補強部材の説明図である。
【図４】（ａ）〜（ｃ）は、本実施例の包装方法において用いる袱紗の説明図である。
【図５】本実施例の包装方法において用いる紐部材の説明図である。
【図６】（ａ）〜（ｂ）は、本実施例の包装方法において用いる薄片部材の説明図である。
【図７】本実施例の包装方法の手順を表した説明図であって、（ａ）は、第１工程、第２工程と、第３工程を開始した状態を、（ｂ）は、第３工程の途中の状態を表している。
【図８】本実施例の包装方法の手順を表した説明図であって、（ａ）は、第３工程が完了した状態を、（ｂ）は、第４工程の途中の状態を表している。
【図９】本実施例の第４工程が完了した状態を表した説明図である。
【符号の説明】
Ｆ  風呂敷
Ｆ１  右見頃部
Ｆ２  後ろ身頃部
Ｆ３  左見頃部
Ｆ１６、Ｆ３６  襟部
１ａ、１ｂ  芯材
２  補強部材
３  袱紗
４ａ、４ｂ  紐部材
５ａ、５ｂ  薄片部材
【図１】
0004374130.tif 000002
【図２】
0004374130.tif 000003
【図３】
0004374130.tif 000004
【図４】
0004374130.tif 000005
【図５】
0004374130.tif 000006
【図６】
0004374130.tif 000007
【図７】
0004374130.tif 000008
【図８】
0004374130.tif 000009
【図９】
0004374130.tif 000010